(57)【要約】      （修正有）【課題】継手金物を設けた同一部材に開孔部を隣接配置した構造で、該継手金物と開孔部とにより生じる構造上の補強問題を解決する方法を提供する。【解決手段】鉄筋コンクリート造又は鉄骨鉄筋コンクリート造等の構築物の主要構造部の同一部材に主筋２の継手に継手金物１を使用し、継手金物１部位に隣接して開孔部６を設け、その各々を補強した構造において、継手金物１の開孔部６側端部と開孔部６の継手金物１側端部との間に、継手金物１の端部外方位置に巻き付けた集約せん断補強筋４ａ、４ｂ及び開孔部６の継手金物１側位置の主筋２に巻き付けた孔際補強筋８を継手金物１及び開孔部６の補強筋として兼ねるように配筋する。【選択図】図１
2013036186.tif 000002
【特許請求の範囲】
【請求項１】
鉄筋コンクリート造又は鉄骨鉄筋コンクリート造等の構築物の主要構造部の同一部材に主筋の継手に継手金物を使用し、該継手金物部位に隣接して開孔部を設け、その各々を補強した構造において、該継手金物の開孔部側端部と開孔部の継手金物側端部との間に、該継手金物の端部外方位置に巻き付けた集約せん断補強筋及び開孔部の該継手金物側位置の主筋に巻き付けた孔際補強筋を該継手金物及び開孔部の補強筋として兼ねるように配筋してなることを特徴とする継手金物部位と開孔部とを隣接配置した補強構造。
【請求項２】
開孔部には、主筋に巻き付けた集約せん断補強筋又は孔際補強筋の他、開孔部周囲を囲む開孔部囲繞補強筋を配筋してなることを特徴とする請求項１記載の継手金物部位と開孔部とを隣接配置した補強構造。
【請求項３】
集約せん断補強筋又は孔際補強筋は、複数のせん断補強筋を主要構造部の長手方向において密接配筋してなることを特徴とする請求項１又は２記載の継手金物部位と開孔部とを隣接配置した補強構造。
【請求項４】
集約せん断補強筋又は孔際補強筋は、複数のせん断補強筋を主要構造部の長手方向において小間隔を有した集中状態で配筋してなることを特徴とする請求項１又は２記載の継手金物部位と開孔部とを隣接配置した補強構造。
【請求項５】
集約せん断補強筋又は孔際補強筋は、１本の鉄筋或いは１本の鉄筋をコイル状に数回巻いた鉄筋としてなることを特徴とする請求項１又は２記載の継手金物部位と開孔部とを隣接配置した補強構造。
【請求項６】
開孔部囲繞補強筋は、直線部材と斜材部材とを組み合わせてなることを特徴とする請求項２乃至５のいずれか記載の継手金物部位と開孔部とを隣接配置した補強構造。
【請求項７】
開孔部囲繞補強筋は、四角形部材と多角形部材或いは多角形部材相互又は多角形部材と湾曲部材或いは湾曲部材相互等を適宜組み合わせてなることを特徴とする請求項２乃至５のいずれか記載の継手金物部位と開孔部とを隣接配置した補強構造。
【請求項８】
開孔部囲繞補強筋は、開孔部の長手方向に沿って延出し、該開孔部を囲むスパイラル状の鉄筋としたことを特徴とする請求項２乃至５のいずれか記載の継手金物部位と開孔部とを隣接配置した補強構造。
【請求項９】
開孔部囲繞補強筋は、主筋、せん断補強筋、孔際補強筋、集約せん断補強筋、中子筋、その他開孔部周囲の補強筋等に連結してなることを特徴とする請求項２乃至８のいずれか記載の継手金物部位と開孔部とを隣接配置した補強構造。
【発明の詳細な説明】
【技術分野】
【０００１】
本発明は、鉄筋コンクリート造又は鉄骨鉄筋コンクリート造等の建築や土木等の構築物や構造物（以下、単に構築物という）の梁や柱等の主要構造部における鉄筋の継手手段として継手金物を使用し、その継手金物の配設部位に隣接して開孔部や開孔部（以下、開孔部という）を設けた構造において、該継手金物部位と開孔部を補強する補強部材の一部を兼ねるように配置して補強した補強構造に関するものである。
【背景技術】
【０００２】
近年、鉄筋コンクリート造又は鉄骨鉄筋コンクリート造等の構築物の主要構造部に使用する鉄筋の継手手段として、スリーブ状の継手金物が使用されている。該継手金物は、図１０の点線に示すように、その両端部から各々鉄筋（以下、継手金具を使用する鉄筋を主筋という）を挿入し、該継手金物の内側で固定する構造としているので、該継手金物の外径は主筋径と比較して太径となっている。従って、主要構造部のせん断力補強等の有効手段として該継手金物を配設した部位にスターラップ筋或いはフープ筋等のせん断補強筋を設け、該せん断補強筋を上下或いは左右の相互に対向する位置の最外側に位置する該継手金物の外周側壁間に小間隔毎或いは密接に並べて架け渡したりコイル状の１本の鉄筋を連続的に架け渡して（以下、それらを総称して巻き付けと表現する）いる。しかし、上記したように、該継手金物は太径のため、該外側壁間に巻き付けられた該せん断補強筋は他の位置となる主筋の最外側に巻き付けられたものより大気に近い外方位置（コンクリートの表面側）へ突出することになり、それにより構築物の必要とするかぶり厚となるコンクリート部分が他の位置より外方へ突出することになり、そのことは当該部位のみならず他の部位全体のかぶり厚を厚くするとか、主筋の位置を内側へ移動（主筋の位置を下げる）させる設計変更等を余儀なくされ、それら設計変更や施工においても効率的ではなく、経済的ではなかった。
【０００３】
そこで、図１０に示すように、対向する位置の継手金物Ａ間にせん断補強筋Ｂを巻き付けることなく該継手金物Ａの端部となる主筋の入り口部の外方に複数の又は所定のせん断補強が得られる単数の鉄筋又は単数の鉄筋をコイル状に数回巻いて巾のある状態とした鉄筋或いは予め束ねた１本巻きの単数の鉄筋を複数本集約した鉄筋等を主筋に巻き付け（以下、上記した単数の或いは予め束ねたせん断補強筋等様々な形態が想定されるが、それら継手金物Ａの端部に配筋する補強筋を集約せん断補強筋或いは鉄筋を束ねた集約せん断補強筋という）、該せん断補強筋Ｂや集約せん断補強筋Ｃが外方へ突出してかぶり厚に影響を与えないようにして当該部位に生じる所定のせん断力に耐える構造としていた。なお、図１０は、該継手金物Ａを横方向に設けた実施例であるが、柱等の縦方向でも同様の構造となる。
【０００４】
他方、開孔部においても、該開孔部が設けられる箇所にはその上下或いは左右に位置する主筋間に該開孔部を通過するようにしてせん断補強筋を巻き付けること或いはせん断補強筋を切断することは構造上できないので、該開孔部を囲む箇所に別途開孔部囲繞補強筋及び開孔部の補強有孔範囲に密に配筋するせん断補強筋（以下、孔際補強筋という）等の開孔部専用の開孔部補強筋を設ける必要があった。
【０００５】
上記構築物を構成する主要構造部の梁や柱において、継手金物を設けた梁や柱と同一部材に開孔部を隣接して設けなければならない設計が生じることがある。その場合、該継手金物の一方又は双方の端部となる主筋の入り口部から開孔部が配設される箇所までの間に少なくとも該継手金物の補強筋及び開孔部の補強筋が配筋できる寸法及び開孔部の補強筋のかぶり厚さ分の寸法を確保した上で該継手金物と開孔部とを隣接配置することになる。
【先行技術文献】
【特許文献】
【０００６】
【特許文献１】特開平７−３９４２号公報
【特許文献２】特開２００２−３５６９５３号公報
【発明の概要】
【発明が解決しようとする課題】
【０００７】
本発明は、上記状況を考慮し、継手金物を設けた同一部材に開孔部を隣接配置した構造で、該継手金物と開孔部とにより生じる構造上の補強問題を解決するために、該継手金物及び開孔部間に位置する補強のための集約せん断補強筋又は孔際補強筋を該継手金物及び開孔部の補強として兼ねるようにした構築物の補強構造に関するものである。また、必要に応じて該開孔部を囲む開孔部囲繞補強筋の一部を該継手金物側へ突出させ、該継手金物と開孔部とを同一部材に隣接配置しても構造上問題のない構築物の主要構造部の補強構造に関するものである。
【課題を解決するための手段】
【０００８】
本発明は、鉄筋コンクリート造又は鉄骨鉄筋コンクリート造等の構築物の主要構造部の同一部材に主筋の継手に継手金物を使用し、該継手金物部位に隣接して開孔部を設け、その各々を補強した構造において、該継手金物の開孔部側端部と開孔部の継手金物側端部との間に、該継手金物の端部外方位置に巻き付けた集約せん断補強筋及び開孔部の該継手金物側位置の主筋に巻き付けた孔際補強筋を該継手金物及び開孔部の補強筋として兼ねるように配筋してなる継手金物部位と開孔部とを隣接配置した補強構造を特徴とする。
【０００９】
また、上記開孔部には、主筋に巻き付けた集約せん断補強筋又は孔際補強筋の他、開孔部周囲を囲む開孔部囲繞補強筋を配筋してなる継手金物部位と開孔部とを隣接配置した補強構造を特徴とする。
【００１０】
更に、上記集約せん断補強筋又は孔際補強筋は、複数のせん断補強筋を主要構造部の長手方向において密接配筋してなる継手金物部位と開孔部とを隣接配置した補強構造を特徴とする。
【００１１】
また、上記集約せん断補強筋又は孔際補強筋は、複数のせん断補強筋を主要構造部の長手方向において小間隔を有した集中状態で配筋してなる継手金物部位と開孔部とを隣接配置した補強構造を特徴とする。
【００１２】
更に、上記集約せん断補強筋又は孔際補強筋は、１本の鉄筋或いは１本の鉄筋をコイル状に数回巻いた鉄筋としてなる継手金物部位と開孔部とを隣接配置した補強構造を特徴とする。
【００１３】
また、上記開孔部囲繞補強筋は、直線部材と斜材部材とを組み合わせてなる継手金物部位と開孔部とを隣接配置した補強構造を特徴とする。
【００１４】
更に、上記開孔部囲繞補強筋は、四角形部材と多角形部材或いは多角形部材相互又は多角形部材と湾曲部材或いは湾曲部材相互等を適宜組み合わせてなる継手金物部位と開孔部とを隣接配置した補強構造を特徴とする。
【００１５】
また、上記開孔部囲繞補強筋は、開孔部の長手方向に沿って延出し、該開孔部を囲むスパイラル状の鉄筋とした継手金物部位と開孔部とを隣接配置した補強構造を特徴とする。
【００１６】
更に、上記開孔部囲繞補強筋は、主筋、せん断補強筋、孔際補強筋、集約せん断補強筋、中子筋、その他開孔部周囲の補強筋等に連結してなる継手金物部位と開孔部とを隣接配置した補強構造を特徴とする。
【発明の効果】
【００１７】
本発明は、継手金物の端部外方の主筋に集約せん断補強筋を巻き付けることにより対向する該継手金物本体の外側壁間にせん断補強筋を巻き付ける必要がなくなり、その巻き付けた集約せん断補強筋により当該部分からせん断補強筋が外方へ突出することがなく、コンクリートのかぶり厚の増加を防止し、主筋の位置を内側へ移動させる設計変更等をすることもなく、コンクリート使用量の減少及び通常の設計や施工を行うことができ、経済的になった。
【００１８】
また、開孔部において、該開孔部周囲の上下或いは左右に位置する主筋間に孔際補強筋を設け、その内の継手金物側の孔際補強筋は該継手金物の集約せん断補強筋を兼ねるように配筋し、更に、該開孔部周囲を囲むようにして開孔部囲繞補強筋を設けることにより該開孔部を有効的に補強することが可能となった。
つまり、集約せん断補強筋が孔際補強筋を兼ねて配筋する態様、継手金物側の孔際補強筋間隔は従来の孔際補強筋間隔のままで孔際補強筋が集約せん断補強筋を兼ねて配筋する態様及び継手金物側の孔際補強筋は密接して束ねて配筋し孔際補強筋が集約せん断補強筋を兼ねて配筋する態様等が必要に応じて適宜選択できることが可能となった。
【００１９】
また、上記した継手金物と開孔部との間の集約せん断補強筋又は孔際補強筋を両者の補強筋として兼ねることにより、該継手金物と開孔部とを隣接した状態で配置することができ、要求される設計に合理的に対応できることが可能となり、設計巾が広がった。
【００２０】
また、上記開孔部周囲の補強筋として斜材部材或いは湾曲部材並びにそれらに連続する直線部材を有する開孔部囲繞補強筋を該開孔部を囲むようにして配設し、少なくともその一部を主筋間に巻き付けた該集約せん断補強筋又は孔際補強筋と重なる内側位置或いは主筋、せん断補強筋、孔際補強筋、集約せん断補強筋、中子筋、その他開孔部周囲の補強筋に固定することにより強固な連結が得られ、該開孔部の有効的な補強を得ることが可能となった。
【図面の簡単な説明】
【００２１】
【図１】構築物の主要構造部の継手金物部位と開孔部とを隣接配置した補強構造の長手方向の側面図。
【図２】構築物の主要構造部の継手金物部位と開孔部とを隣接配置した補強構造の長手方向の平面図。
【図３（ａ）（ｂ）（ｃ）】（ａ）開孔部補強構造の短手方向の断面図、（ｂ）同他の実施例の断面図、（ｃ）同他の実施例の断面図。
【図４】継手金物部位と開孔部とを隣接配置した補強構造の他の実施例の長手方向の側面図。
【図５】継手金物部位と開孔部とを隣接配置した補強構造の他の実施例の平面図。
【図６】継手金物部位と開孔部とを隣接配置した補強構造の他の実施例の長手方向の側面図。
【図７】継手金物部位と開孔部とを隣接配置した補強構造の他の実施例の平面図。
【図８】継手金物部位と開孔部とを隣接配置した補強構造の他の実施例の長手方向の側面図。
【図９】継手金物部位と開孔部とを隣接配置した補強構造の他の実施例の長手方向の側面図。
【図１０】従来の継手金物部位における集約せん断補強筋を示す側面図。
【発明を実施するための形態】
【００２２】
以下、図面を参考に本発明を実施するための最良の形態についてその実施例に基づいて説明する。
【実施例１】
【００２３】
図１及び図２は、本発明の主筋相互を連結する継手金物を設けた部位に隣接して開孔部を設け、その両者の補強構造に関する実施例を示したものである。１は鉄筋コンクリート造又は鉄骨鉄筋コンクリート造等の構築物の梁又は柱等の主要構造部の左右或いは上下方向に延びる主筋２の端部相互を連結するための継手金物で、該継手金物１への主筋挿入部となる両端部３ａ、３ｂの外方にスターラップ筋或いはフープ筋等のせん断補強筋を密接或いは小間隔を有した集中状態で或いは所定のせん断補強が得られる単数の鉄筋で主筋２の長手方向に沿って上下或いは左右の最外側に位置する対向する主筋２間に巻き付けて集約せん断補強筋４ａ、４ｂとしている。なお、実施例は梁を示しているので、図での主筋２は上下に位置している。
【００２４】
梁又は柱等の主要構造部に設けるせん断補強筋５は、一定の間隔毎に主筋２に巻き付けて配筋しているが、本実施例では該継手金物１を設けた部位には上記従来の欠点で示した理由により該せん断補強筋５を設けていない。それにより継手金物部位はせん断補強筋５が存在しない空間部Ｓとなるため、その補強手段として該継手金物１の両端部３ａ、３ｂの外方の位置となる継手金物に密接して集約せん断補強筋４ａ、４ｂを対向する主筋２間に巻き付け配筋している。
【００２５】
設計上、同一部材において上記した継手金物１と隣接する位置に開孔部６を設けなければならない状態が生じることがある。その際、該継手金物１と開孔部６との配置間隔には様々な寸法が考えられるが、該継手金物１同様、該開孔部６においても有効な補強手段を講じる必要があるので、両者の補強が兼用できる間隔さえ得られれば両者を隣接配置することが可能となる。そこで、上記した継手金物１の開孔部６側に位置する集約せん断補強筋４ａと下記する開孔部６の継手金物１側に位置する開孔部補強筋とが兼用できる補強筋とすれば、両者を限りなく隣接状態で配置することが可能となる。
【００２６】
該開孔部６の開孔部補強筋として、本実施例では該開孔部６の周囲を囲むようにして補強する開孔部囲繞補強筋７及び開孔部６の左右に配筋する孔際補強筋８があり、他方、上記継手金物１の左右に密接して配筋する集約せん断補強筋４ａがあり、継手金物の左右に密接して配筋する集約せん断補強筋の部位となる集約部と開孔部が限りなく近づくと、集約部側の孔際補強筋と、開孔部側の集約せん断補強筋とが、重なる位置に配筋することになる。しかし、両者を重ねて配筋する事は出来ないので、重なる位置に配筋する補強筋を集約せん断補強筋とし、これは集約せん断補強筋と、孔際補強筋の両方の機能を果たす補強筋となる。開孔部６の周囲を囲む該開孔部囲繞補強筋７は、その一部が孔際補強筋８、集約せん断補強筋４ａと前後となる位置に配筋することにより補強上有効な配筋となる。
【００２７】
該開孔部囲繞補強筋７は、本実施例では内側から外側にかけての四角形状或いは変形多角形状の第１補強筋９、該第１補強筋９の外側から内側にかけての四角形状或いは変形多角形状の第２補強筋１０で取り囲むようにして二重配筋となるように形成している。また、第１補強筋９、第２補強筋１０の内側及び外側位置を逆にしたり、或いはそれらを連続状態で形成したり、また、それらを三重、四重、…にした形状も該開孔部６及び施工の状況により適宜考えられる。
【００２８】
図１に示すように、上記開孔部囲繞補強筋７は、一方の孔際補強筋８側から上方の主筋２に向かって該開孔部６を囲むようにして基点より斜材部材１１を設け、折曲部１２から折り曲げて下方の集約せん断補強筋４ａへ向かって斜材部材１３を設け、更に、折曲部１４で折り曲げて下方の主筋２に向かって集約せん断補強筋４ａと平行となる平行部材１５を設け、更に、折曲部１６で折り曲げて斜材部材１７を設け、折曲部１８で折り曲げて主筋２と平行となる平行部材１９とし、折曲部２０で折り曲げ、斜材部材２１他方側の折曲部２２で折り曲げてスタート位置となる基点と接する孔際補強筋８と平行となる平行部材２３とし、全体として多角形形状の第１補強筋９としている。
【００２９】
上記第１補強筋９と連続或いは固定又は断続状態で一体として作用することになる折曲部２２より該孔際補強筋８と平行となる平行部材２３により所定長の延設後、該上方の主筋２に向かって折曲部２４で折り曲げ、該斜材部材１１の外側に該斜材部材１１と平行状態で斜材部材２５を設け、その一端の折曲部２６で折り曲げて該折曲部１２と接する或いは固定又は断続状態で一体として作用して該上方の主筋２と平行となるように折曲部２７の位置まで延設して平行部材２８とし、該折曲部２７より集約せん断補強筋４ａ側へ折り曲げて斜材部材２９とし、折曲部３０により折り曲げて該集約せん断補強筋４ａと平行となるように平行部材３１を設け、折曲部１４と重なる位置の折曲部まで延設し、該折曲部１４の位置から下方の主筋２に向かって該斜材部材１７と平行となるように折り曲げて斜材部材３２とし、次の折曲部３３まで延設し、該折曲部３３で折り曲げて孔際補強筋８側へ延設して斜材部材３４とし、スタート部となる基点へ戻り一体とし、全体として多角形形状の第２補強筋１０を形成している。
【００３０】
上記実施例の場合、継手金物１部位と開孔部６との間には、継手金物１の開孔部６側となる端部３ａ側に配筋された集約せん断補強筋４ａが開孔部６の該継手金物１側の孔際補強筋を兼ねる配筋になり、該集約せん断補強筋４ａが配筋できる寸法及び開孔部側の補強筋のかぶり厚さ分の寸法さえ確保できれば、同一部材において継手金物１と開孔部６とを隣接配置することが可能となる。従って、開孔部６を補強する他の補強手段となる開孔部囲繞補強筋７が、その一部を継手金物１間の空間部Ｓ側に突出したとしても、邪魔となることはない。
【００３１】
上記第１補強筋９と第２補強筋１０とにより開孔部囲繞補強筋７としているが、図３（ａ）、（ｂ）に示すように、該開孔部囲繞補強筋７は、梁の手前側及び奥側に位置する孔際補強筋８、集約せん断補強筋４ａの内側で上下の主筋２間或いは開孔部上下の水平補強筋に配筋し、図１に示すように、固定手段３５、３６によりそれらに固定している。また、図３（ｃ）にあっては、部材の手前側及び奥側に位置する孔際補強筋８、集約せん断補強筋４ａ、主筋２の他に中子筋３７にも沿って開孔部囲繞補強筋７を配筋し、固定手段によって開孔周囲の補強筋に固定し、開孔部６の補強構造としている。中子筋３７にはその前面又は背面位置或いは中子筋３７を中心としてその両面に該開孔部囲繞補強筋７を固定する実施例とすることもできる。
【００３２】
上記継手金物１及び開孔部６に採用される集約せん断補強筋４ａ、４ｂ、孔際補強筋８は、対向する主筋２間において複数のせん断補強筋又は孔際補強筋を密接状態で束ねて配筋したもの、小間隔を有して集中状態で配筋したもの、１本の鉄筋を巻き付け配筋したもの、１本の鉄筋を数回巻き付けて配筋したもの等様々な対応が考えられる。図１、２に示したものは、継手金物１と開孔部６との間の集約せん断補強筋４ａ及び他側の集約せん断補強筋４ｂを部材の長手方向において密接状態となるように配筋し、開孔部６の他方側の孔際補強筋８は小間隔を有した集中状態で配筋した例を示している。
【実施例２】
【００３３】
図４及び図５は、継手金物を設けた部位に隣接して開孔部を設け、その両者の補強構造の他の実施例を示したもので、主筋２ａの端部相互を連結する継手金物１ａの両端部３ｃ、３ｄの外方に孔際補強筋４ｃ、集約せん断補強筋４ｄを配筋している。
【００３４】
継手金物１ａを設けた部位はせん断補強筋５ａを設けることなく空間部Ｓとし、該継手金物１ａの開孔部６ａ側の端部３ｃ側に孔際補強筋４ｃを配筋し、該孔際補強筋４ｃに隣接して開孔部６ａを配置している。該孔際補強筋4cは、小間隔を有して集中状態で配筋し、集約せん断補強筋を兼ねている。
【００３５】
開孔部の左右には孔際補強筋８ａ及び孔際補強筋４ｃを各々配筋し、このうち該孔際補強筋４ｃは集約せん断補強筋も兼ねている。
【００３６】
該開孔部６ａは、実施例１と同様、開孔部囲繞補強筋７ａによりその周囲を取り囲むことにより開孔部６ａの補強をしている。従って、該孔際補強筋４ｃ、８ａと開孔部囲繞補強筋７ａとは前後に配置することになり、且つ継手金物１ａ側に位置する開孔部囲繞補強筋７ａは空間部Ｓ側に突出することになるが、邪魔となることはない。
【実施例３】
【００３７】
図６、７は、継手金物を設けた部位に隣接して開孔部を設け、その両者の補強構造の他の実施例を示したもので、主筋２ｂの端部相互を連結する継手金物１ｂの両端部３ｅ、３ｆの外方に孔際補強筋４ｅ及び集約せん断補強筋４ｆを配筋している。
【００３８】
継手金物１ｂを設けた部位はせん断補強筋５ｂを設けることなく空間部Ｓとし、該継手金物１ｂの開孔部６ｂ側の端部３ｅ側に孔際補強筋４ｅを配筋し、該孔際補強筋４ｅに隣接して開孔部６ｂを配置している。該孔際補強筋4ｅは、他の孔際補強筋８ｂを開孔部に対して対称となる位置に配置し、集約せん断補強筋を兼ねている。
【００３９】
開孔部の左右には孔際補強筋８ｂ及び孔際補強筋４ｅを各々配筋し、このうち孔際補強筋４ｅは密接に束ねて配筋し、集約せん断補強筋も兼ねている。
【００４０】
該開孔部６ｂは、実施例１、２と同様、開孔部囲繞補強筋７ｂによりその周囲を取り囲むことにより開孔部６ｂの補強をしている。従って、該孔際補強筋４ｅ、８ｂと開孔部囲繞補強筋７ｂとは前後に配置することになるが、邪魔となることはない。
【実施例４】
【００４１】
図８は、鉄筋を組んで開孔部周りを補強する実施例を示したものである。継手金物１ｃの両端部３ｇ、３ｈにその外方にスターラップ筋或いはフープ筋等のせん断補強筋の複数本を密接或いは小間隔を有した集中状態で集約せん断補強筋又は孔際補強筋４ｇ、４ｈとしている。図８では、両集約せん断補強筋又は孔際補強筋４ｇ、４ｈ及び開孔部６ｃの他側の孔際補強筋８ｃも小間隔を有して集中状態で配筋している。
なお、集約せん断補強筋４ｈと、符号４ｇで示す補強筋を同じ配筋にした場合には、符号４ｇの補強筋は集約せん断補強筋と言い、該集約せん断補強筋４ｇは、開孔部６ｃの孔際補強筋を兼ねることになる。また、符号４ｇで示す補強筋を孔際補強筋８ｃと同配筋にしたり、孔際補強筋８ｃを密接状態で束ねて配筋した場合には、符号４ｇの補強筋は孔際補強筋と言い、孔際補強筋４ｇは、集約せん断補強筋を兼ねることになる。
【００４２】
該継手金物１ｃと隣接する位置に開孔部６ｃを設ける場合は、該開孔部囲繞補強筋７ｃの定着部を梁の長手方向に延設でき、該定着部の先端側が継手金物１ｃの空間部Ｓに達しても邪魔となることはない。
【００４３】
本実施例の開孔部６ｃを囲む開孔部囲繞補強筋７ｃは、主筋２ｃ方向となる長手方向に延設した鉄筋と該開孔部６ｃを囲む斜材部材或いは湾曲部材となる鉄筋とを折り曲げ形成した鉄筋を組み合せることにより開孔部を囲繞する補強筋としたものである。
【００４４】
該開孔部囲繞補強筋７ｃは、継手金物１ｃの一端部３ｇ側より上方に配筋した主筋２ｃの長手方向へ延設する方向と同一方向へ該主筋２ｃと平行に延設した延長部材３８と一方の該集約せん断補強筋又は孔際補強筋３ｇの内側背面を通過し、該開孔部６ｃの開孔縁側の位置に折曲部３９を設け、該折曲部３９から、下方の主筋２ｃ側へ折曲し、他方の該孔際補強筋８ｃの内側背面を通過し、下方側の主筋２ｃの長手方向へ延設する方向と同一方向へ該下方の主筋２ｃと平行に延設して延長部材４０とし、該延長部材４０は折曲部４１により折り曲げられて連続的に延設され、該折曲部３９、４１間に斜材部材４２を設けてなる第１補強筋４３と、上記第１補強筋４３と同様の形状とし、折曲部４４、４５間の斜材部材４６を、該開孔部６ｃの上記斜材部材４２とは開孔部６ｃを挟んで反対側位置を通過するようにし、該折曲部４４、４５からは各々延長部材４７、４８を設け、それらにより第２補強筋４９とし、上記第１、第２補強筋４３、４９とにより後面側の開孔部囲繞補強筋としている。
【００４５】
上記第１補強筋４３は、結束筋、クリップ、溶接等の各種固定手段５０によって集約せん断補強筋又は孔際補強筋４ｇ、孔際補強筋８ｃ及び必要に応じてせん断補強筋、主筋２ｃ或いは他の部材等に連結され固定されることになる。また、上記第２補強筋４９は、上記同様に、固定手段５１によって集約せん断補強筋又は孔際補強筋４ｇ、孔際補強筋８ｃ及び必要に応じてせん断補強筋、主筋２ｃ或いは他の部材等に連結され固定されることになる。
【００４６】
他方、上記第１、第２補強筋４３、４９の後面側に重ねて配置する開孔部囲繞補強筋７ｃは、継手金物１ｃより上方に配筋した主筋２ｃの長手方向へ延設する方向と同一方向へ該主筋２ｃと平行に延設した延長部材５２と一方の該孔際補強筋８ｃの内側背面を通過し、該開孔部６ｃの開孔縁から該継手金物１ｃ側の位置に折曲部５３を設け、該折曲部５３から、下方の主筋２ｃ側へ折曲し、他方の該集約せん断補強筋又は孔際補強筋４ｇの内側背面を通過し、下方の主筋２ｃの長手方向へ延設する方向と同一方向へ該下方の主筋２ｃと平行に延設した延長部材５４への折目となる折曲部５５まで延設した斜材部材５６を設けてなる第３補強筋５７と、上記第３補強筋５７と同様の形状とし、折曲部５８、５９間の斜材部材６０を、該開孔部６ｃの上記斜材部材５６とは開孔部６ｃを挟んで反対側位置を通過するようにし、該折曲部５８、５９からは各々延長部６１、６２を設け、それらにより第４補強筋６３とし、上記第３、第４補強筋５７、６３とにより前面側の開孔部囲繞補強筋としている。
【００４７】
上記第３補強筋５７は、固定手段６４によって孔際補強筋８ｃ及び必要に応じてせん断補強筋、主筋２ｃ或いは他の部材等に連結され固定されることになる。また、上記第４補強筋６３は、上記同様に、固定手段６５によって集約せん断補強筋又は孔際補強筋４ｇ、孔際補強筋８ｃ及び必要に応じてせん断補強筋、主筋２ｃ或いは他の部材等に連結され固定されることになる。
【００４８】
上記開孔部６ｃの周辺部を上記第１乃至第４補強筋４３、４９、５７、６３を前面側及び後面側に組み合わせることにより、主要構造部の手前側及び奥側等の開孔部囲繞補強筋７ｃとしている。該開孔部囲繞補強筋７ｃは、図８に示すように、延長部材及び斜材部材、湾曲部材によって開孔部６ｃの周辺を囲むことにより全体として菱形形状或いは多角形形状、湾曲形状とされている。図面では斜材部材を直線状に表現しているが、開孔部の円形形状に沿うように湾曲状の円形部材とすることも効果的である。
【００４９】
上記実施例の第１、第２補強筋４３、４９の位置を、第３、第４補強筋５７、６３の位置とは逆にしてその後面側としてもよいことは言うまでもない。
【００５０】
また、上記実施例の第１、第２補強筋４３、４９と第３、第４補強筋５７、６３との重なりは開孔部６ｃの大きさに応じて図８で示す状態より、継手金物１ｃ側にずらしたり、或いはその反対方向側へずらして構成することも可能である。この場合も、開孔部６ｃと継手金物１ｃ間には集約せん断補強筋又は孔際補強筋４ｇが配置できる寸法及びそのかぶり厚さ分の寸法を確保することになる。
【００５１】
更に、図３（ａ）、（ｂ）に示した断面図同様、上記第１乃至第４補強筋４３、４９、５７、６３よりなる開孔部囲繞補強筋７ｃを手前側及び奥側に位置する集約せん断補強筋又は孔際補強筋（必要に応じてせん断補強筋、主筋或いは他の部材等）に固定する等、適宜実施例が採用できる。また、図３（ｃ）に示す断面図のように、該第１乃至第４補強筋４３、４９、５７、６３を手前側の集約せん断補強筋又は孔際補強筋（必要に応じてせん断補強筋、主筋或いは他の部材等）及び奥側の集約せん断補強筋又は孔際補強筋（必要に応じてせん断補強筋、主筋或いは他の部材等）に固定する他に、中子筋３７にも固定する補強構造を採用することができる。該開孔部の補強として、該中子筋３７を中心としてその両面に第１乃至第４補強筋４３、４９、５７、６３を配筋した補強構造も考えられる。
なお、図３では開孔部補強筋として３列までの配筋として例示しているが、主筋の数や部材厚によっては４列或いはそれ以上の配筋も考えられる。このことは他の実施例も同様である。
【実施例５】
【００５２】
図９は、鉄筋の継手金物部位１ｄに隣接した開孔部６ｄの補強構造の他の実施例で、上下或いは左右の継手金物の端部に設けた集約せん断補強筋又は孔際補強筋４ｉ、集約せん断補強筋４ｊの一方の集約せん断補強筋又は孔際補強筋４ｉに隣接する位置に開孔部６ｄを設けたものである。
【００５３】
該開孔部６ｄを取り囲むようにして開孔部６ｄの長手方向となる部材の手前側から部材の奥側へと連続する円形、四角形或いは多角形としたスパイラル状の開孔部囲繞補強筋７ｄを設けることにより該開孔部６ｄを補強したものである。
【００５４】
該スパイラル状の開孔部補強筋７ｄは、開孔部６ｄの外方となる周囲の開孔部６ｄの長手方向に沿って延設されるもので、集約せん断補強筋又は孔際補強筋４ｉ、孔際補強筋８ｄ及び必要に応じてせん断補強筋５ｄ、主筋或いは他の部材等の内側に固定できるように延長部材６６、６７を設け、該延長部材６６、６７を固定手段６８、６９によって連結固定している。
【００５５】
開孔部６ｄを形成する筒体等を保持する支持突出部７０を設けることもできる。これは他の実施例も同様である。また、該開孔部囲繞補強筋７ｄは、該開孔部６ｄの長手方向の中間部から延長部材６６、６７を延出し、それを中子筋３７と固定することもできる。中子筋３７にはその前面又は背面位置或いは中子筋３７を中心としてその両面に固定する実施例も考えられる。
【００５６】
本実施例でも、継手金物及び開孔部の補強として使用する集約せん断補強筋及び孔際補強筋の種類やその相互の間隔は、上記実施例と同様である。
【００５７】
また、上記実施例１乃至５における集約せん断補強筋及び孔際補強筋或いは開孔部囲繞補強筋等の各補強筋の単独または集約状態は必要に応じて適宜選択することができることはも言うまでもない。
また、上記実施例では、対象となる部材を梁として説明したが、梁に限定することなく、柱や斜材等の他の構造部材においても同様の補強構造とすることができる。
【符号の説明】
【００５８】
１、１ａ、１ｂ、１ｃ、１ｄ、Ａ      継手金物
２、２ａ、２ｂ、２ｃ      主筋
３ａ、３ｂ、３ｃ、３ｄ、３ｅ、３ｆ、３ｇ、３ｈ    継手端部
４ａ、４ｂ、４ｃ、４ｄ、４ｅ、４ｆ、４ｇ、４ｈ、４ｉ、４ｊ    集約せん断補強筋
８、８ａ、８ｂ、８ｃ、８ｄ    孔際補強筋
５、５ａ、５ｂ、５ｃ、５ｄ    せん断補強筋
６、６ａ、６ｂ、６ｃ、６ｄ    開孔部
７、７ａ、７ｂ、７ｃ、７ｄ    開孔部囲繞補強筋
９、４３               第１補強筋
１０、４９              第２補強筋
１１、１３、１７、２１、２５、２９、３２、３４、４２、４６、５６、６０    斜材部材
１２、１４、１６、１８、２０、２２、２４、２６、２７、３０、３３、３９、４１、４４、４５、５３、５５、５８、５９    折曲部
１５、１９、２３、２８、３１    平行部材
３５、３６、５０、５１、６４、６５、６８、６９    固定手段
３７      中子筋
３８、４０、４７、４８、５２、５４、６１、６２、６６、６７    延長部材
５７    第３補強筋
６３    第４補強筋
７０    支持突出部
【図１】
2013036186.tif 000003
【図２】
2013036186.tif 000004
【図３（ａ）（ｂ）（ｃ）】
2013036186.tif 000005
【図４】
2013036186.tif 000006
【図５】
2013036186.tif 000007
【図６】
2013036186.tif 000008
【図７】
2013036186.tif 000009
【図８】
2013036186.tif 000010
【図９】
2013036186.tif 000011
【図１０】
2013036186.tif 000012